(57)【要約】【課題】薬液を混合調製する際の作業に必要な力を低減しつつ、注射器の蓋部材を注射器から確実に取り外して保持することができる、新規な構造の薬液混注器具を提供すること。【解決手段】バイアル装着部４４と注射器装着部７２の間に摺動可能に配設された両頭針部材５２とを備えており、両頭針部材５２のバイアル１６および注射器１８に対する相対位置が、両頭針部材５２の第１針部４８および第２針部５０がそれらの蓋部材２４，３６を貫通しない離隔位置と、貫通する接近位置に切り替え可能となっている薬液混注器具１０において、注射器装着部７２には、注射器１８の先端開口部３２を覆蓋する蓋部材３６に係止して蓋部材３６の注射器装着部７２からの離脱を防止する係止突起９２が設けられている一方、注射器１８を注射器装着部７２に装着することにより、注射器１８の蓋部材３６が係止突起９２を乗り越えて注射器装着部７２の奥方に配置されるようにした。【選択図】図２
2014079331.tif 000002
【特許請求の範囲】
【請求項１】
バイアルの口部が装着されるバイアル装着部と、
注射器の先端開口部が装着される注射器装着部と、
前記バイアル装着部と前記注射器装着部の間に摺動可能に配設された両頭針部材とを備えており、
前記両頭針部材の前記バイアルおよび前記注射器に対する相対位置が、該両頭針部材の第１針部および第２針部が前記注射器および前記バイアルの蓋部材を貫通しない離隔位置と、該両頭針部材の該第１針部および該第２針部がそれらの該蓋部材を貫通する接近位置に切り替え可能となっている薬液混注器具において、
前記注射器装着部には、前記注射器の前記先端開口部を覆蓋する前記蓋部材に係止して該蓋部材を該注射器装着部に保持する係止突起が設けられている一方、
前記注射器を前記注射器装着部に装着することにより、前記注射器の前記蓋部材が前記係止突起を乗り越えて前記注射器装着部の奥方に配置されるようになっている、
ことを特徴とする薬液混注器具。
【請求項２】
一端側に前記バイアル装着部が設けられ、他端側に前記両頭針部材が設けられた内筒部材と、
一端側に前記注射器装着部が設けられ、他端側に前記内筒部材が摺動装着される内筒部材摺動部が設けられた外筒部材を備え、
前記外筒部材の前記内筒部材摺動部に対して、前記内筒部材が前記両頭針部材側から摺動可能に装着されると共に、前記外筒部材と前記内筒部材の間には、前記両頭針部材を前記離隔位置に仮保持する保持機構が設けられている請求項１に記載の薬液混注器具。
【請求項３】
前記注射器装着部が筒状とされており、該注射器装着部の軸直方向で対向する位置に、それぞれ前記係止突起が内方に向かって突設されている請求項１又は２に記載の薬液混注器具。
【請求項４】
前記係止突起が周方向で相互に離隔して複数設けられている請求項１〜３の何れか１項に記載の薬液混注器具。
【請求項５】
前記係止突起が、斜め下方に傾斜しつつ内方に突出するテーパ形状とされている請求項１〜４の何れか１項に記載の薬液混注器具。
【請求項６】
リング状の保持部の一端側に前記係止突起が内方に突出して一体的に設けられた突起構成部品が別体形成されている一方、該突起構成部品が、前記注射器装着部の前記奥方の内周面に対して、該保持部の外周面を内嵌固定することにより装着されている請求項１〜５の何れか１項に記載の薬液混注器具。
【発明の詳細な説明】
【技術分野】
【０００１】
本発明は、粉末製剤等の薬剤が収容されたバイアル内に注射器に収容された溶解液等の液剤を注入し、薬剤と液剤を混合して調製するために使用される薬液混注器具に関する。
【背景技術】
【０００２】
従来から、抗生物質や血液製剤等、輸液の状態では化学的に不安定となり変質のおそれのある製剤については、ゴム栓等の蓋部材で密封されたバイアル中に乾燥状態で保存する一方、使用直前に蒸留水や生理食塩水、ブドウ糖液等の溶解液に溶解調製して、患者へ投薬等することが行われている。
【０００３】
バイアル中に乾燥状態で保存された製剤と溶解液との調製を簡便に行うことができる薬液混注器具として、例えば、特許文献１（特開２００７−２６０１６２号公報）に記載のものが知られている。この薬液混注器具は、バイアルの口部が装着されるバイアル装着部と、注射器の先端開口部が装着される注射器装着部と、バイアル装着部と注射器装着部の間に摺動可能に配設された両頭針部材とを備えており、両頭針部材のバイアルおよび注射器に対する相対位置を、両頭針部材の第１針部および第２針部が注射器およびバイアルの蓋部材を貫通しない離隔位置と、両頭針部材の第１／第２針部がそれらの蓋部材を貫通する接近位置に切り替えることが可能となっている。
【０００４】
このような従来構造の薬液混注器具によれば、注射器とバイアルが注射器装着部およびバイアル装着部にそれぞれ装着されると共に、両頭針部材が離隔位置に保持された状態で、製薬会社等から使用者に提供することができる。それ故、使用者は、両頭針部材のバイアルおよび注射器に対する相対位置を接近位置に切り替えるだけで、バイアルと注射器の蓋部材にそれぞれ両頭針部材の第１／第２針部を貫通しバイアルと注射器を相互に連通させることができ、所定の薬剤と液剤の混合調製を簡便且つ速やかに行うことができるようになっている。
【０００５】
ところで、混合調製後の薬液を注射器内に吸引して当該注射器を薬液混注器具から取り外す際には、注射器の先端開口部に装着された蓋部材の処理が問題となる。具体的には、蓋部材はゴム等の弾性部材で形成されており、注射器の先端開口部に密接されていることから、注射器を薬液混注器具から取り外す際に、かかる蓋部材が注射器の先端開口部に装着されたままとなる。従って、使用者が調製後の薬液を吸引した注射器を目的のデバイスに取り付ける際には、蓋部材を注射器に先端開口部から取り外す作業が必要となり、作業が煩雑であることに加えて、その際に薬剤が使用者に接触するおそれもあった。
【０００６】
そこで、特開２０１１−１９７０４号公報（特許文献２）に記載の薬液混注器具では、両頭針部材のうち、注射器の蓋部材を貫通する第１針部の周囲に周壁を突設し、かかる周壁から内方に突出する係止突起を設けた構造が提案されている。これによれば、両頭針部材の第１針部に注射器の蓋部材を貫通させるべく、注射器の蓋部材側を両頭針部材に向かって押し込むことにより、蓋部材が係止突起を乗り越えて第１針部の基端部側まで押し込まれることとなる（特許文献２の図５（ｄ），（ｅ）参照）。そして、調製後の薬液を吸引した注射器を薬液混注器具から取り外す際には、蓋部材のフランジ底面に係止突起が係止されることにより、蓋部材が第１針部の周囲に保持される。それ故、使用者が、薬液を吸引した注射器の先端開口部から蓋部材を取り外す作業を不要とすることができるのである。
【０００７】
ところが、特許文献１に記載の薬液混注器具では、当該文献の図５（ｄ），（ｅ）に示される、両頭針部材による注射器とバイアルの蓋部材の穿刺作業の際に、注射器の蓋部材を係止突起の反力に抗して第１針部の基端部に向けて押し込み係止突起を乗り越えさせる作業が必要となる。そうすると、使用者には、両頭針部材により両側の蓋部材を貫く力と、係止突起を乗り越えるように注射器側の蓋部材を押し込む力の両方が要求されることとなり、穿刺作業時に非常に大きな力が必要とされて、使用者に過度の負担がかかっていた。
【先行技術文献】
【特許文献】
【０００８】
【特許文献１】特開２００７−２６０１６２号公報
【特許文献２】特開２０１１−１９７０４号公報
【発明の概要】
【発明が解決しようとする課題】
【０００９】
本発明は、上述の事情を背景に為されたものであって、その解決課題は、薬液を混合調製する際の作業に必要な力を低減しつつ、注射器の蓋部材を注射器から確実に取り外して保持することができる、新規な構造の薬液混注器具を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明の第１の態様は、バイアルの口部が装着されるバイアル装着部と、注射器の先端開口部が装着される注射器装着部と、前記バイアル装着部と前記注射器装着部の間に摺動可能に配設された両頭針部材とを備えており、前記両頭針部材の前記バイアルおよび前記注射器に対する相対位置が、該両頭針部材の第１針部および第２針部が前記注射器および前記バイアルの蓋部材を貫通しない離隔位置と、該両頭針部材の該第１針部および該第２針部がそれらの該蓋部材を貫通する接近位置に切り替え可能となっている薬液混注器具において、前記注射器装着部には、前記注射器の前記先端開口部を覆蓋する前記蓋部材に係止して該蓋部材の該注射器装着部からの離脱を防止する係止突起が設けられている一方、前記注射器を前記注射器装着部に装着することにより、前記注射器の前記蓋部材が前記係止突起を乗り越えて前記注射器装着部の奥方に配置されるようになっていることを特徴とする。
【００１２】
本態様によれば、注射器を前記注射器装着部に装着する際に、注射器の先端開口部を覆蓋する蓋部材が係止突起を乗り越えて注射器装着部の奥方に配置されるようになっている。これにより、両頭針部材によるバイアルと注射器の両蓋部材に対する穿刺作業の前に、注射器の蓋部材を係止突起を乗り越えて奥方に移動させる作業を完了させることができる。従って、薬液混注器具にバイアルと注射器を取り付けると共に、両頭針部材のバイアルと注射器に対する相対位置が離隔位置に保持された製品の出荷状態では、既に、注射器の蓋部材の係止突起の乗り越え作業が完了している。従って、使用者がバイアルの薬剤と注射器の液剤を混合調整する際には、両頭針部材の第１／第２針部をバイアルと注射器の両蓋部材に穿刺するために必要な力のみが要求されるのであって、薬液の混合調製作業に必要な力の低減が有利に図られている。
【００１３】
一方、注射器の先端開口部に装着された蓋部材は、注射器装着部に設けられた係止突起を乗り越えて、注射器装着部の奥方に収容配置されていることから、注射器を注射器装着部の開口部側に引き抜いて取り外す際には、蓋部材が係止突起係止され、注射器装着部の奥方に確実に保持される。このように、係止突起を注射器装着部に設けたことにより、両頭針の第１針部側に設けていた従来構造には不可能であった、蓋部材の薬液混注器具側への確実な保持と、薬液の混合調製作業に必要な力の低減の両立を初めて達成できたのである。
【００１４】
本発明の第２の態様は、前記第１の態様に係る薬液混注器具において、一端側に前記バイアル装着部が設けられ、他端側に前記両頭針部材が設けられた内筒部材と、一端側に前記注射器装着部が設けられ、他端側に前記内筒部材が摺動装着される内筒部材摺動部が設けられた外筒部材を備え、前記外筒部材の前記内筒部材摺動部に対して、前記内筒部材が前記両頭針部材側から摺動可能に装着されると共に、前記外筒部材と前記内筒部材の間には、前記両頭針部材を前記離隔位置に仮保持する仮保持機構が設けられているものである。
【００１５】
本態様によれば、内筒部材と外筒部材と摺動を巧く利用して、両頭針部材の第１針部および第２針部のバイアルや注射器に対する離隔位置と接近位置の切り替え構造をコンパクトに実現することが可能となる。しかも、外筒部材と内筒部材の摺接面間に、両頭針部材を離隔位置に仮保持する仮保持機構が設けられていることから、仮保持機構による器具の大型化を有利に回避しつつ、出荷状態を実現する両頭針部材の離隔位置での仮保持を確実に行うことができる。なお、仮保持機構としては、外筒部材と内筒部材の摺接面間に設けらえた凹凸嵌合によるものや、摩擦力の増大を利用したもの等が有利に採用可能である。
【００１６】
本発明の第３の態様は、前記第１又は第２の態様に係る薬液混注器具において、前記注射器装着部が筒状とされており、該注射器装着部の軸直方向で対向する位置に、それぞれ前記係止突起が内方に向かって突設されているものである。
【００１７】
本態様によれば、注射器を注射器装着部の開口部側（軸方向上方）に引き抜いて取り外す際には、注射器装着部の軸直方向両側から突出する係止突起により蓋部材の軸直方向両側を安定して保持することができる。それ故、一層確実に注射器の先端開口部から蓋部材を取り外して、注射器装着部の奥方に、蓋部材を保持することができるのである。
【００１８】
本発明の第４の態様は、前記第１乃至第３の何れか一つの態様に係る薬液混注器具において、前記係止突起が周方向で相互に離隔して複数設けられているものである。
【００１９】
本態様によれば、係止突起が周方向で相互に離隔して複数設けられていることから、複数の係止突起が蓋部材の広い範囲に係止することができ、一層確実に蓋部材を注射器装着部の奥方に保持することができる。また、係止突起が周方向で複数に分断されていることから、蓋部材が係止突起を乗り越える際の抗力を有利に低減することができる。
【００２０】
本発明の第５の態様は、前記第１乃至第４の何れか一つの態様に係る薬液混注器具において、前記係止突起が、斜め下方に傾斜しつつ内方に突出するテーパ形状とされているものである。
【００２１】
本態様によれば、係止突起が斜め下方に傾斜しつつ内方に突出するテーパ形状とされていることから、蓋部材が係止突起を乗り越える際には、蓋部材がテーパ形状に沿って下方に案内されることにより押し込み力の低減を図ることができる。一方、蓋部材に対して注射器装着部の奥方から開口部側へ移動する力が加わると、係止突起が蓋部材に対してくさび状に当接することとなり、蓋部材の変位に対する大きな抵抗力が発生し、蓋部材の注射器装着部の奥方に有利に保持することができるのである。
【００２２】
本発明の第６の態様は、前記第１乃至第５の何れか一つの態様に係る薬液混注器具において、リング状の保持部の一端側に前記係止突起が内方に突出して一体的に設けられた突起構成部品が別体形成されている一方、該突起構成部品が、前記注射器装着部の前記奥方の内周面に対して、該保持部の外周面を内嵌固定することにより装着されているものである。
【００２３】
本態様によれば、別体形成された突起構成部品を注射器装着部の奥方に内嵌固定する簡単な構造で、注射器装着部に係止突起を設置することができる。従って、本発明の薬液混注器具の製造を容易に行うことができる。また、既存の薬液混注器具に対して、突起構成部品を追加し、本発明と同様の効果を得るようにすることも可能となる。
【発明の効果】
【００２４】
本発明によれば、注射器装着部に係止突起を設けたことにより、注射器を注射器装着部に装着する際に、注射器の蓋部材を係止突起を乗り越えて奥方に移動させる作業を完了させることができる。これにより、蓋部材の薬液混注器具側への確実な保持と、薬液の混合調製作業に必要な力の低減の両立を達成できたのである。
【図面の簡単な説明】
【００２５】
【図１】本発明の第１の実施形態としての薬液混注器具であって、図３に示す中心軸Ｏに対する軸直交線Ｉにおける断面図。
【図２】図１に示した薬液混注器具であって、図３における中心線Ｏに対する軸直交線ＩＩにおける断面図。
【図３】図１に示した薬液混注器具の分解斜視図。
【図４】図１に示した薬液混注器具に用いられる突起構成部品の斜視図。
【図５】図１に示した方向から見た注射器を注射器装着部に装着する工程を説明する断面説明図。
【図６】図１に示した方向から見た薬液混注器具の使用方法を説明する断面説明図。
【図７】図２に示した方向から見た薬液混注器具の使用方法を説明する断面説明図。
【発明を実施するための形態】
【００２６】
以下、本発明を更に具体的に明らかにするために、本発明の実施形態について、図面を参照しつつ、詳細に説明する。
【００２７】
先ず、図１〜図４に、本発明の第１の実施形態としての薬液混注器具１０を示す。薬液混注器具１０は、略円筒形状の内筒部材１２に対して、同じく略円筒形状の外筒部材１４が軸方向で摺動可能に外嵌状態で組み付けられた構成とされている。この薬液混注器具１０は、バイアル１６と注射器１８を相互に連通して薬剤と液剤を混合調製するために使用されるものである。ここで、図１は、図３に示す薬液混注器具１０の中心軸：Ｏに直交する直交線Ｉで縦断した断面を示し、図２は、図３に示す直交線Ｉにさらに直交する直交線ＩＩで縦断した断面を示している。なお、以下の説明において、特に断りの無い限り、上下方向とは、鉛直上下方向である図１中の上下方向をいうものとする。
【００２８】
また、薬液混注器具１０に装着されるバイアル１６や注射器１８は、公知の規格形状を有しているものが何れも装着可能である。バイアル１６は、粉末製剤等の薬剤を収容するガラス製の容器部２０と、容器部２０の口部２２を密封するゴム製の蓋部材２４と、蓋部材２４を容器部２０に固定する金属製のリング部材２６から構成されているものである。また、注射器１８は、溶解液を収容するバレル２８と、バレル２８の内部と進退動するプランジャ３０と、バレル２８の先端開口部３２の外周を囲繞する筒状の連結部３４を有しており、先端開口部３２と連結部３４の間に先端開口部３２を密封するゴム製の蓋部材３６が装着されているものである。
【００２９】
薬液混注器具１０を構成する内筒部材１２は、ポリプロピレンやポリエチレン，ＡＢＳ樹脂，ポリカーボネート，ポリスチレン等の合成樹脂材料等の公知の材料から形成されており、略円筒形状の筒体部４０を有している。筒体部４０は、一方の端部（図１中、下側）が開口されており、これにより、内筒部材１２の一端側にバイアル１６の口部２２が装着されるバイアル装着部４４が構成されるようになっている。一方、筒体部４０の他方の端部（図１中、上側）は、軸直方向に広がる仕切壁４６で塞がれている。そして、仕切壁４６の一方の側（図１中、上側）に第１針部４８が突設されていると共に、他方の側（図１中、下側）に第２針部５０が突設されている。この仕切壁４６と第１針部４８および第２針部５０によって、内筒部材１２の他端側に設けられた両頭針部材５２が構成されるようになっている。
【００３０】
両頭針部材５２において、第１針部４８および第２針部５０は、仕切壁４６の略中心部から上下両側に突出して、筒体部４０の中心軸状を延伸する形状とされている。第１針部４８の突出寸法は、外筒部材１４に設けられた後述する注射器装着部７２に装着される注射器１８の蓋部材３６を貫通するに十分な長さに設定されている。一方、第２針部５０の突出寸法は、筒体部４０の軸寸法よりも所定寸法短くされており、バイアル装着部４４にバイアル１６の口部２２が装着された際に、第１針部４８の先端部が、バイアル１６の蓋部材２４に至らないようにされている。なお、第１針部４８は第２針部５０よりも小さな径寸法で細く形成されており、第１針部４８が注射器１８の蓋部材３６を貫通する穿刺抵抗が、第２針部５０がバイアル１６の蓋部材２４を貫通する穿刺抵抗よりも小さくなるようにされている。
【００３１】
第１針部４８および第２針部５０の内部には、それらを連続して軸方向に延びる通路５４が貫設されている。通路５４の一端部は第１針部４８の先端部に開口している一方、通路５４の他端部は第２針部５０の外周面に開口しており、この通路５４を介して、バイアル１６の容器部２０の内部空間と注射器１８のバレル２８の内部空間が相互に連通されるようになっている。
【００３２】
内筒部材１２には、さらに仕切壁４６から上方に突出する一対の注射器離脱防止部材５６，５６が突設されている。この一対の注射器離脱防止部材５６, ５６は、仕切壁４６の中心部に突設する第１針部４８を、軸直方向で間に挟んで相互に離隔した対向位置にそれぞれ軸方向上方に突出して設けられている（図２参照）。各注射器離脱防止部材５６は、僅かに円弧状に湾曲した矩形突片５８と、矩形突片５８の先端部に設けられて軸直方向内方に突出する部分ねじ部６０から構成されている。なお、各矩形突片５８の外周面上には、補強リブ６２が設けられており、細長く突出する矩形突片５８の強度が確保されている。この注射器離脱防止部材５６の機能については、後述の使用方法において詳述する。
【００３３】
図２および図３に示すように、内筒部材１２の筒体部４０の外周面上には、一対の注射器離脱防止部材５６，５６が対向する軸直線上で対向する周上の２箇所において、軸方向に延びる位置決め凹溝６４，６４が形成されている。また、図３に示すように、筒体部４０の外周面上には、軸方向の同一位置で且つ周方向で相互に離隔した複数箇所（本実施形態では９０°ピッチで４箇所）に、複数の当接突起６８が突出形成されている。
【００３４】
さらに、筒体部４０の内周面上には、周方向で離隔する複数箇所（本実施形態では４箇所）において、バイアル装着部４４に装着されるバイアル１６の口部２２に圧接される圧接リブ６６が軸方向に延出して設けられている。図１に示すように、軸直方向で対向する圧接リブ６６，６６間の内径寸法：φ１が、バイアル１６の口部２２の外径寸法：φ２よりも僅かに小さくされており、バイアル装着部４４に装着されたバイアル１６の口部２２が圧接リブ６６の弾性復元力により、強固に保持されるようになっている。なお、各圧接リブ６６の開口側端部（図１中下方側）には、下方に向かって次第に外方に広がるテーパ面６７が形成されている。そして、バイアル装着部４４の開口部にバイアル１６の口部２２を挿入する際には、かかるテーパ面６７に案内されて、バイアル１６がバイアル装着部４４と略同軸状に位置決めされるようになっている。
【００３５】
一方、薬液混注器具１０を構成する外筒部材１４は、内筒部材１２と同様の合成樹脂材料等から形成されており、軸方向の中間部分で径寸法が異ならされた段付きの略円筒形状を呈している。図１および図２に示すように、外筒部材１４の軸方向中間部分に設けられた段差面７０を挟んで上方側に位置する一端側には、略円筒形状の注射器装着部７２が設けられている。また、外筒部材１４の段差面７０を挟んで下方側に位置する他端側には、内筒部材１２の外径寸法よりも僅かに大きな内径寸法を備えた円筒形状の内筒部材摺動部７４が下方に向かって開口形成されており、内筒部材１２が摺動装着されるようになっている。
【００３６】
外筒部材１４の注射器装着部７２は、段差面７０の内周縁部に連接して軸方向上方に立ち上がる略円筒形状を呈しており、軸方向の上方開口部７６から注射器１８の連結部３４が挿入されるようになっている。注射器装着部７２の内径寸法：φ３は、注射器１８の連結部３４の外径寸法：φ４よりも僅かに大きくされており、注射器装着部７２の内周面には、注射器１８の連結部３４の外周面に形成された雄ねじ部７８に螺合する雌ねじ部８０が形成されている。
【００３７】
図１および図２に示すように、注射器装着部７２の内周面には、軸直方向で対向する位置に軸方向に連続して延びる一対の凹溝部８２，８２が形成されており、これにより、雌ねじ部８０が途中で寸断された不連続な形状とされている。なお、一対の凹溝部８２，８２の溝幅寸法（周方向長さ）は、そこに挿入される一対の注射器離脱防止部材５６，５６の矩形突片５８の幅寸法（周方向長さ）よりも僅かに大きくされている。また、凹溝部８２，８２の底面は、挿入される一対の注射器離脱防止部材５６，５６の補強リブ６２が収容可能なように、幅方向中央部分が最も深く、幅方向両側に向かって次第に浅くなる略Ｖ字断面形状とされている。
【００３８】
さらに、注射器装着部７２の奥方となる下方開口部８４側には、別体形成されたリング状の突起構成部品８６が内嵌される嵌合凹所８８が形成されている。図４に示すように、突起構成部品８６は、内筒部材１２および外筒部材１４と同様の公知の合成樹脂材料等から形成されており、一定の略楕円形断面を有するリング状の保持部９０を有している。一対の保持部９０，９０の軸直方向で対向する位置には、軸直方向の外方に傍出する一対の凹溝部９１，９１が一体形成されている。この一対の凹溝部９１，９１は、注射器装着部７２の内周面に開口形成された一対の凹溝部８２，８２よりも僅かに小さな相似形状を有しており、突起構成部品８６が嵌合凹所８８に嵌め入れられた状態で、一対の凹溝部９１，９１の内面と、一対の凹溝部８２，８２の内面とが滑らかに連接されるように構成されている。
【００３９】
また、保持部９０の一端側（図１中上側）には、斜め下方に傾斜しつつ保持部９０の内方に片持ち状態で突出する複数の舌片状の係止突起９２が一体的に形成された構造とされている。本実施形態では、保持部９０の軸直方向で対向する位置に、周方向で相互に離隔した３つの係止突起９２が、それぞれ設けられている（図４参照）。
【００４０】
このような突起構成部品８６は、注射器装着部７２の奥方の内周面に形成された嵌合凹所８８に対して、保持部９０の外周面を内嵌固定することにより、装着保持されている。図１に部分的に拡大して示すように、突起構成部品８６の外周面には係合突起９４が突設されており、嵌合凹所８８の内周面に開口形成された係合凹部９６に嵌合することにより、突起構成部品８６が嵌合凹所８８に固定的に位置決め保持されるようになっている。さらに、突起構成部品８６の保持部９０における下フランジ部９８が嵌合凹所８８の下方側軸直端面１００に当接することや、保持部９０の上端面１０２が嵌合凹所８８の上方側軸直端面１０４に当接することにより、突起構成部品８６が上方への引き抜き力に対抗して強固に位置決め保持されるようになっている。
【００４１】
また、外筒部材１４における内筒部材摺動部７４の内周面には、内筒部材１２の外周面に設けられて、軸直方向で対向する一対の位置決め凹溝６４，６４に嵌め入れられる、一対の位置決めリブ１０６，１０６が、軸直方向で対向する位置で、軸方向に連続して延出形成されている。さらに、内筒部材摺動部７４の内周面には、異なる３つの軸方向位置で、周方向に連続して延びる第１周溝１０８，第２周溝１１０，第３周溝１１２が形成されている。内筒部材摺動部７４に対して内筒部材１２が摺動可能に装着された際には、内筒部材１２の外周面に形成された当接突起６８が、各第１、第２、第３周溝１０８，１１０，１１２に嵌め入れられて仮保持されることにより、内筒部材１２と外筒部材１４の相対位置が切り替え可能とされるようになっている。これにより、薬液混注器具１０に装着されたバイアル１６および注射器１８に対する両頭針部材５２の相対位置が切り替え可能となるのである。要するに、本実施形態では、内筒部材１２と外筒部材１４の摺動を巧く利用して、両頭針部材５２の第１針部４８および第２針部５０のバイアル１６や注射器１８の蓋部材２４，３６に対する離隔位置と接近位置の切り替え構造をコンパクトに実現できるのである。
【００４２】
このような構造とされた内筒部材１２と外筒部材１４は、図３に示すように、外筒部材１４の内筒部材摺動部７４に対して、内筒部材１２を両頭針部材５２側から挿し入れて組み付けることにより、本実施形態の薬液混注器具１０が構成されることとなる。ここで、内筒部材１２を外筒部材１４に組み付ける際には、はじめに、内筒部材１２の外周面に形成された一対の位置決め凹溝６４，６４に対して、外筒部材１４の内筒部材摺動部７４の内周面に形成された一対の位置決めリブ１０６，１０６が嵌め入れられることにより、内筒部材１２と外筒部材１４の周方向の相対位置が位置決めされる。そして、かかる位置決め状態を保持して、内筒部材１２が外筒部材１４の内筒部材摺動部７４に対して軸方向で摺動可能に装着されるのである。
【００４３】
さらに、内筒部材１２を内筒部材摺動部７４の奥方に挿入すると、内筒部材１２の外周面に形成された当接突起６８が、内筒部材摺動部７４の内周面に形成された第１周溝１０８に嵌まり込む。これにより、内筒部材１２が外筒部材１４から最も突出した状態で組み付けられた、図１および図２に示す薬液混注器具１０の準備状態に仮保持される。かかる組み付け状態において、内筒部材１２と外筒部材１４の周方向の相対位置が、位置決め凹溝６４と位置決めリブ１０６の嵌合により安定して保持されていることから、内筒部材１２に設けられた一対の注射器離脱防止部材５６，５６が、外筒部材１４の注射器装着部７２に設けられた一対の凹溝部８２，８２，９１，９１に確実に位置合わせされており、各注射器離脱防止部材５６が各凹溝部８２，９１にスムーズに挿入されるようになっている（図２参照）。
【００４４】
次に、図５〜図７に基づき、本実施形態の薬液混注器具１０の使用方法について説明する。なお、図５は、図１に示した断面において、注射器１８を注射器装着部７２に装着する工程を説明するものである。そして、図６は、図１に示した断面において、注射器１８が装着された薬液混注器具１０を、さらにそのバイアル装着部４４にバイアル１６を装着した状態からの各使用状態を示している。また、図７は、図２に示した断面において、注射器１８が装着された薬液混注器具１０を、さらにそのバイアル装着部４４にバイアル１６を装着した状態からの各使用状態を示している。
【００４５】
図５（ａ）に示すように、注射器装着部７２では、注射器１８の雄ねじ部７８を注射器装着部７２の雌ねじ部８０に対して螺合させることにより、注射器１８が注射器装着部７２に装着される。この螺合に伴い、注射器１８の先端開口部３２を覆蓋する蓋部材３６が、注射器装着部７２の内方に突出する係止突起９２に当接されることとなる。蓋部材３６は、注射器装着部７２の内径寸法より僅かに小さな外径寸法を有していることから、注射器装着部７２の内方に突出する片持ち状の係止突起９２を下方に弾性変形させつつ下方に押し込まれることとなる。なお、本実施形態では、係止突起９２が周方向で相互に離隔して３つ設けられていることから、蓋部材３６が係止突起９２を乗り越える際の抗力の低減が有利に図られている。
【００４６】
さらに、図５（ｂ）に示すように、注射器１８の雄ねじ部７８と注射器装着部７２の雌ねじ部８０が最終端まで完全に螺合された注射器１８の注射器装着部７２への装着状態では、蓋部材３６が、注射器装着部７２の内周面に突設された係止突起９２を乗り越えて、さらに注射器装着部７２の奥方（図５（ｂ）中、下方）に配置されている。また、蓋部材３６が係止突起９２を乗り越えて奥方に配置されたことにより、係止突起９２は初期形状に弾性復帰して、蓋部材３６よりも軸方向上方に位置して、蓋部材３６よりも軸直方向で内方に突出されている。この状態から、さらに、内筒部材１２を内筒部材摺動部７４の奥方に挿入すると、図５（ｃ）に示すように、内筒部材１２の外周面に形成された当接突起６８が、内筒部材摺動部７４の内周面に形成された第２周溝１１０に嵌まり込み、その位置で内筒部材１２が内筒部材摺動部７４に対して仮保持される。なお、後述する図６（ａ）から明らかなように、図５（ｃ）に示す状態では、注射器離脱防止部材５６に設けられた部分ねじ部６０が、注射器装着部７２の雌ねじ部８０に連続することなく、軸方向でずらされた位置に配設されるようになっている。これにより、この状態で注射器１８を回転させても、注射器１８の雄ねじ部７８を注射器装着部７２の雌ねじ部８０に螺合させることができなくなり、薬剤の調整前に、注射器装着部７２から注射器１８を離脱させる誤作動が防止されるようになっている。
【００４７】
このように、注射器１８が注射器装着部７２に装着され、図５（ｃ）に示した状態とされた薬液混注器具１０は、さらに、図６（ａ）および図７（ａ）に示すように、薬液混注器具１０のバイアル装着部４４にバイアル１６が装着される。バイアル装着部４４では、バイアル装着部４４に設けられた圧接リブ６６のテーパ面６７に案内されて、バイアル１６の蓋部材２４がバイアル装着部４４に僅かに入り込んだ状態で、バイアル装着部４４がバイアル１６に装着されている。この状態で、両頭針部材５２の第２針部５０は、バイアル１６の蓋部材２４を貫通しない離隔位置に保持されている。また、内筒部材１２は、その外周面に設けられた当接突起６８が、外筒部材１４の内筒部材摺動部７４に設けられた第２周溝１１０に嵌合される位置まで、内筒部材摺動部７４の奥方に押し込まれている。このように、内筒部材１２と外筒部材１４の相対位置が仮保持された図６（ａ），図７（ａ）の状態で、両頭針部材５２の第１針部４８は、注射器１８の蓋部材３６を貫通しない離隔位置に保持されている。これらの説明から明らかなように、本実施形態では、バイアル装着部４４の圧接リブ６６と、内筒部材１２の当接突起６８と外筒部材１４の第２周溝１１０の協働により、両頭針部材５２の第１針部４８および第２針部５０を蓋部材２４，３６から離隔した離隔位置に仮保持する、仮保持機構が構成されているのである。
【００４８】
本実施形態の薬液混注器具１０によれば、図６（ａ），図７（ａ）に示すように、薬液混注器具１０のバイアル装着部４４にバイアル１６を装着すると共に、注射器装着部７２に注射器１８が装着されると共に、両頭針部材５２が離隔位置に保持された状態で、製薬会社等から使用者向けに出荷して提供することができる。要するに、図５（ａ），（ｂ），（ｃ）に示す注射器１８の注射器装着部７２への装着工程および図６（ａ），図７（ａ）に示すバイアル１６のバイアル装着部４４への装着工程までを製造工場で行うことができ、これにより、使用者による使用工程の削減を図ることも可能となる。前述のとおり、かかる出荷状態において、注射器離脱防止部材５６に設けられた部分ねじ部６０が、注射器装着部７２の雌ねじ部８０に連続することなく、軸方向でずらされた位置に配設されており（図６（ａ）参照）、薬剤の調整前に、注射器装着部７２から注射器１８を離脱させる誤作動が防止されるようになっている。
【００４９】
続いて、図６（ｂ），図７（ｂ）に示すように、使用者は、バイアル１６に収容された薬剤１２０を注射器１８に収容された溶解液１２２で溶解すべく、両頭針部材５２の第１針部４８と第２針部５０を注射器１８の蓋部材３６とバイアル１６の蓋部材２４を貫通する接近位置に切り替える作動を行う。具体的には、注射器１８を下方に向けて押し込む。これにより、先ず、内筒部材１２の当接突起６８と外筒部材１４の第２周溝１１０との嵌合が外れて、内筒部材１２が内筒部材摺動部７４のさらに奥方まで移動して、当接突起６８が第３周溝１１２に嵌合すると共に、内筒部材１２の仕切壁４６が外筒部材１４の段差面７０に当接保持される。これにより、両頭針部材５２の第１針部４８が、注射器１８の蓋部材３６を貫通する接近位置に移動保持される。また、これと略同時に、バイアル１６がバイアル装着部４４の奥方まで圧入されて、バイアル１６の蓋部材２４の天面が仕切壁４６に当接保持される。これにより、両頭針部材５２の第２針部５０が、バイアル１６の蓋部材２４を貫通する接近位置に移動保持される。その結果、両頭針部材５２の通路５４を通じて、バイアル１６の容器部２０の内部と注射器１８のバレル２８の内部が連通されて、薬液の混合調整が可能となる。
【００５０】
そして、使用者は、図６（ｃ），（ｄ），図７（ｃ），（ｄ）に示すように、注射器１８のプランジャ３０を押圧してバレル２８内の溶解液１２２をバイアル１６の容器部２０内に注入して、容器部２０内の薬剤１２０と混合調整する。次に、使用者は、図６（ｅ），図７（ｅ）に示すように、調整された混合薬液１２４を注射器１８のバレル２８内に移動させるべく、バイアル１６と注射器１８の位置を上下反転した状態で、注射器１８のプランジャ３０を引くことにより、バイアル１６の容器部２０内の混合薬液１２４を注射器１８のバレル２８内に吸引する。
【００５１】
混合薬液１２４のバレル２８内への吸引が完了すると、図６（ｆ），図７（ｆ）に示すように、使用者は注射器１８を回転させて、注射器１８の連結部３４を注射器装着部７２から離脱される。この時、内筒部材１２が外筒部材１４の内筒部材摺動部７４の奥方に押し込まれて、図６（ｂ）〜図６（ｆ）に示すように、注射器装着部７２に形成された雌ねじ部８０と注射器離脱防止部材５６の部分ねじ部６０とが連接されている。従って、注射器装着部７２に形成された雌ねじ部８０と注射器１８の連結部３４に形成された雄ねじ部７８の相対回転が許容され、注射器１８を注射器装着部７２から離脱させることができるのである。
【００５２】
この際、注射器１８の先端開口部３２に装着された蓋部材３６には、注射器１８の注射器装着部７２からの離脱に伴い、注射器装着部７２の開口部側（図６（ｆ），図７（ｆ）中、下側）に向かう外力が及ぼされる。しかしながら、蓋部材３６の直下において、蓋部材３６の外周縁部よりも軸直方向の内方に突出する係止突起９２が突設されていることから、係止突起９２が蓋部材３６に係止されて、蓋部材３６の注射器装着部７２からの抜け出しが阻止される。その結果、注射器１８の先端開口部３２から蓋部材３６が離脱されて注射器装着部７２の奥方にそのまま保持される。従って、図６（ｆ），図７（ｆ）に示すように、使用者は、注射器１８を注射器装着部７２から離脱させるのみでよく、蓋部材３６を注射器１８の先端開口部３２から取り外す等の作業が不要となるのである。
【００５３】
以上述べてきたように、本実施形態における薬液混注器具１０によれば、注射器１８を注射器装着部７２に装着する際に、蓋部材３６が係止突起９２を乗り越えて注射器装着部７２の奥方に配置されるようになっている（図６（ａ），図７（ａ）参照）。すなわち、かかる作業を、図６（ｂ），図７（ｂ）に示す両頭針部材５２によるバイアル１６と注射器１８の両蓋部材２４，３６に対する穿刺作業の前の出荷状態までに、完了させることができる。従って、使用者がバイアル１６の薬剤１２０と注射器１８の溶解液１２２を混合調整する際には、両頭針部材５２の第１針部４８と第２針部５０をバイアル１６と注射器１８の両蓋部材２４，３６に穿刺するために必要な力のみが要求されるのであって、薬液の混合調製作業に使用者に要求される作業力の低減を有利に図ることができる。
【００５４】
しかも、注射器１８の蓋部材３６は、注射器装着部７２に設けられた係止突起９２を乗り越えて、注射器装着部７２の奥方に収容配置されていることから、注射器１８を注射器装着部７２の開口部側に引き抜いて取り外す際には、蓋部材３６が係止突起９２に係止され、注射器装着部７２の奥方に確実に保持することができる。要するに、本実施形態では、係止突起９２を注射器装着部７２の所定位置に設けたことにより、蓋部材３６の薬液混注器具１０側への確実な保持と、薬剤１２０と溶解液１２２の混合調製作業に必要な力の低減の両立を有利に達成できるのである。
【００５５】
特に、注射器装着部７２の軸直方向で対向する位置に、それぞれ複数の係止突起９２（本実施形態では３つずつ）が内方に向かって突設されていることから、注射器１８と共に蓋部材３６が注射器装着部７２の開口部側へ引き抜かれる際に、係止突起９２により蓋部材３６の軸直方向両側を安定して保持することができ、確実に蓋部材３６を注射器１８の先端開口部３２から取り外して、注射器装着部７２の奥方に保持することができるのである。しかも、各係止突起９２は、注射器装着部７２の開口部から奥方に向かう軸方向において、斜め下方に傾斜しつつ、注射器装着部７２の軸直方向内方に突出するテーパ形状とされている。これにより、蓋部材３６が係止突起９２を乗り越える際には、蓋部材３６がテーパ形状に沿って下方に案内されることにより押し込み力の低減が図られている。一方、蓋部材３６に対して注射器装着部７２の奥方から開口部側へ移動する力が加わると、係止突起９２が蓋部材３６に対してくさび状に当接して大きな抵抗力を生じさせることができ、蓋部材３６を一層確実に注射器装着部７２の奥方に保持できるのである。
【００５６】
また、本実施形態では、別体形成された突起構成部品８６を、注射器装着部７２の奥方に形成されて内筒部材摺動部７４側に開口する嵌合凹所８８に対して、内嵌固定する簡単な構造で、注射器装着部７２の所定位置に係止突起９２を設置することができ、薬液混注器具１０の製造を容易に行うことができる。
【００５７】
以上、本発明の実施形態について詳述してきたが、本発明はその具体的な記載によって限定されない。上記実施形態では、内筒部材１２と外筒部材１４の摺動を利用して、両頭針部材５２の第１針部４８および第２針部５０のバイアル１６や注射器１８の蓋部材２４，３６に対する離隔位置と接近位置の切り替え構造を実現していたが、かかる構造以外にも、例えば、特許文献１に記載の如き、筒体の上方と下方に注射器装着部７２とバイアル装着部４４を備え、当該筒体の内部に摺動可能に両頭針部材５２を収容した構造も、採用可能である。この場合には、筒体の上方に設けられた注射器装着部７２の所定位置に係止突起９２を突設し、注射器１８が注射器装着部７２に装着されて、両頭針部材５２が離隔位置に保持された状態で、注射器１８の蓋部材３６が係止突起９２を乗り越えて注射器装着部７２の奥方に位置されているようにすればよい。
【００５８】
また、別体の突起構成部品８６は、必ずしも採用する必要はなく、注射器装着部７２の内面に、直接ボス状の係止突起を形成してもよい。さらに、係止突起の形状や配設個数等は、注射器１８の蓋部材３６の形状等を考慮して、任意に設定可能である。
【符号の説明】
【００５９】
１０：薬液混注器具、１２：内筒部材、１４：外筒部材、１６：バイアル、１８：注射器、２２：口部、２４：蓋部材、２６：リング部材、３２：先端開口部、３６：蓋部材、４４：バイアル装着部、４８：第１針部、５０：第２針部、５２：両頭針部材、６８：当接突起（保持機構）、７２：注射器装着部、８６：突起構成部品、９２：係止突起、１１０：第２周溝
【図１】
2014079331.tif 000003
【図２】
2014079331.tif 000004
【図３】
2014079331.tif 000005
【図４】
2014079331.tif 000006
【図５】
2014079331.tif 000007
【図６】
2014079331.tif 000008
【図７】
2014079331.tif 000009